(57)【要約】【課題】電波状態が悪いことを通信端末に対して通知できる回線終端装置を提供する。【解決手段】通信端末６に対して通話開始操作がなされた場合（１１１）、通信端末６から電波信号が送信される（１１３）。回線終端装置５では、電波信号の電波強度を取得する（１１５）。電波強度が小さい場合、通信端末６に対してアラーム信号が送信される（１１７）。通信端末６と回線終端装置５との間の電波状態が改善し、取得される電波強度が大きくなった場合、通信端末６に対して許可通知信号が送信される（１１９）。通信端末６では、回線終端装置５を介して通話を行うことが可能な状態であると判断され、被呼側の通信端末７に対して接続要求信号が送信される（１２１）。通信端末７から応答信号を受信した後（１３５）、通信端末６，７間で通話が行われる（１３７）。【選択図】図９
2011055403.tif 000002
【特許請求の範囲】
【請求項１】
通信端末と無線を介して接続し、発呼側の前記通信端末である発呼端末と被呼側の前記通信端末である被呼端末との間で行われる通話の為の通信を制御する回線終端装置であって、
前記発呼端末及び前記被呼端末のうち少なくとも一方から送信された電波の強度である電波強度を取得する取得手段と、
前記取得手段において取得された前記電波強度が所定の閾値以上であるかを判断する判断手段と、
前記判断手段において前記電波強度が前記閾値未満であると判断された場合に、前記発呼端末及び前記被呼端末のうち少なくとも一方に、電波状態が悪いことを通知する信号である第一通知信号を送信する第一送信手段と、
を備えたことを特徴とする回線終端装置。
【請求項２】
前記発呼端末と前記被呼端末との間で通話を実行させるための制御を行う通話制御手段を備え、
前記取得手段は、
前記通話制御手段によって前記発呼端末と前記被呼端末とが通話を実行している状態で、前記発呼端末及び前記被呼端末のうち少なくとも一方の前記電波強度を取得し、
前記第一送信手段は、
前記判断手段において、通話状態の前記発呼端末及び前記被呼端末のうち少なくとも一方の前記電波強度が前記閾値未満であると判断された場合に、通話状態の前記発呼端末及び前記被呼端末のうち少なくとも一方に対して前記第一通知信号を送信することを特徴とする請求項１に記載の回線終端装置。
【請求項３】
前記取得手段は、
前記発呼端末において、前記被呼端末との通話を開始させる場合に送信される電波を受信することによって、前記発呼端末の前記電波強度を取得し、
前記第一送信手段は、
前記判断手段において前記発呼端末の前記電波強度が前記閾値未満であると判断された場合に、前記発呼端末に対して前記第一通知信号を送信することを特徴とする請求項１に記載の回線終端装置。
【請求項４】
前記発呼端末及び前記被呼端末のうち一方は、有線網を介して自身と接続した他の前記回線終端装置と無線を介して接続している場合において、
前記第一送信手段は、
自身と無線を介して接続する前記発呼端末及び前記被呼端末のうち一方に対して、無線によって前記第一通知信号を送信することを特徴とする請求項１から３のいずれかに記載の回線終端装置。
【請求項５】
前記判断手段において前記電波強度が前記閾値未満であると判断された場合に、前記有線網を介して前記他の回線終端装置に対して前記第一通知信号を送信する第二送信手段と、
前記有線網を介して前記第一通知信号を受信する第一受信手段と、
前記第一受信手段によって前記第一通知信号を受信した場合に、無線を介して接続する前記発呼端末及び前記被呼端末のうち一方に対して、無線を介して前記第一通知信号を送信する第三送信手段と
を備えたことを特徴とする請求項１から３のいずれかに記載の回線終端装置。
【請求項６】
前記取得手段は、
前記第一送信手段において前記第一通知信号が送信された後、前記第一通信号を送信した相手の前記通信端末である相手端末の前記電波強度を取得し、
前記判断手段において前記相手端末の前記電波強度が前記閾値以上であると判断された場合に、電波状態が改善したことを通知する信号である第二通知信号を前記相手端末に対して送信する第四送信手段をさらに備えたことを特徴とする請求項１から４のいずれかに記載の回線終端装置。
【請求項７】
通信端末と無線を介して接続し、発呼側の前記通信端末である発呼端末と被呼側の前記通信端末である被呼端末との間で行われる通話の為の通信を制御する回線終端装置の各処理手段としてコンピュータを実行させる終端装置プログラムであって、
コンピュータを、
前記発呼端末及び前記被呼端末のうち少なくとも一方から送信された電波の強度である電波強度を取得する取得手段と、
前記取得手段において取得された前記電波強度が所定の閾値以上であるかを判断する判断手段と、
前記判断手段において前記電波強度が前記閾値未満であると判断された場合に、前記発呼端末及び前記被呼端末のうち少なくとも一方に、電波状態が悪いことを通知する信号である第一通知信号を送信する第一送信手段として機能させることを特徴とする終端装置プログラム。
【発明の詳細な説明】
【技術分野】
【０００１】
本発明は回線終端装置及び終端装置プログラムに関する。詳細には、無線通信端末間の通信を制御する回線終端装置及び終端装置プログラムに関する。
【背景技術】
【０００２】
ネットワークに接続された回線終端装置（アクセスポイント等）と通信端末とが無線通信を行うことによって、通信端末同士で通話を行うシステムがある。このシステムでは、被呼側の通信端末が回線終端装置と通信できない場合、発呼側の通信端末からの発呼に対して回線終端装置からビジー信号が返信される。発呼側の通信端末では、ビジー信号を受信した場合に、被呼側の通信端末と通話できないことが認識される。また、例えば特許文献１に記載のシステムでは、通信可能な通信端末の識別情報（電話番号、ＭＡＣアドレス、ＩＰアドレスなど）を含むログイン情報が、予め回線終端装置から通信端末に対して通知される。発呼側の通信端末は、被呼側の通信端末の通信状態を発呼前に認識することができる。
【先行技術文献】
【特許文献】
【０００３】
【特許文献１】特開２００３−２８４１４４号公報
【発明の概要】
【発明が解決しようとする課題】
【０００４】
しかしながら上述の装置では、通信端末間の通話が開始される直前や通話中に通信端末の電波状態が悪くなった場合、電波状態が悪いことを通信端末に通知できない。このため通信端末は、通話が開始されなかったり、通話が中断されてしまったりすることを事前に認識することができない。従って通信端末のユーザは、通信端末の電波状態を改善させるような対策（例えば、通信端末の場所を移動させるなど）を施すことができないという問題点があった。
【０００５】
本発明は上述の問題点を解決するためになされたものであり、電波状態が悪いことを通信端末に対して通知できる回線終端装置及び終端装置プログラムを提供することを目的とする。
【課題を解決するための手段】
【０００６】
上述の問題点を解決するために、請求項１に係る発明の回線終端装置では、通信端末と無線を介して接続し、発呼側の前記通信端末である発呼端末と被呼側の前記通信端末である被呼端末との間で行われる通話の為の通信を制御する回線終端装置であって、前記発呼端末及び前記被呼端末のうち少なくとも一方から送信された電波の強度である電波強度を取得する取得手段と、前記取得手段において取得された前記電波強度が所定の閾値以上であるかを判断する判断手段と、前記判断手段において前記電波強度が前記閾値未満であると判断された場合に、前記発呼端末及び前記被呼端末のうち少なくとも一方に、電波状態が悪いことを通知する信号である第一通知信号を送信する第一送信手段とを備えている。
【０００７】
また、請求項２に係る発明の回線終端装置は、請求項１に記載の発明の構成に加えて、前記発呼端末と前記被呼端末との間で通話を実行させるための制御を行う通話制御手段を備え、前記取得手段は、前記通話制御手段によって前記発呼端末と前記被呼端末とが通話を実行している状態で、前記発呼端末及び前記被呼端末のうち少なくとも一方の前記電波強度を取得し、前記第一送信手段は、前記判断手段において、通話状態の前記発呼端末及び前記被呼端末のうち少なくとも一方の前記電波強度が前記閾値未満であると判断された場合に、通話状態の前記発呼端末及び前記被呼端末のうち少なくとも一方に対して前記第一通知信号を送信することを特徴とする。
【０００８】
また、請求項３に係る発明の回線終端装置は、請求項１に記載の発明の構成に加えて、前記取得手段は、前記発呼端末において、前記被呼端末との通話を開始させる場合に送信される電波を受信することによって、前記発呼端末の前記電波強度を取得し、前記第一送信手段は、前記判断手段において前記発呼端末の前記電波強度が前記閾値未満であると判断された場合に、前記発呼端末に対して前記第一通知信号を送信することを特徴とする。
【０００９】
また、請求項４に係る発明の回線終端装置は、請求項１から３のいずれかに記載の発明の構成に加えて、前記発呼端末及び前記被呼端末のうち一方は、有線網を介して自身と接続した他の前記回線終端装置と無線を介して接続している場合において、前記第一送信手段は、自身と無線を介して接続する前記発呼端末及び前記被呼端末のうち一方に対して、無線によって前記第一通知信号を送信することを特徴とする。
【００１０】
また、請求項５に係る発明の回線終端装置は、請求項１から３のいずれかに記載の発明の構成に加えて、前記判断手段において前記電波強度が前記閾値未満であると判断された場合に、前記有線網を介して前記他の回線終端装置に対して前記第一通知信号を送信する第二送信手段と、前記有線網を介して前記第一通知信号を受信する第一受信手段と、前記第一受信手段によって前記第一通知信号を受信した場合に、無線を介して接続する前記発呼端末及び前記被呼端末のうち一方に対して、無線を介して前記第一通知信号を送信する第三送信手段とを備えている。
【００１１】
また、請求項６に係る発明の回線終端装置は、請求項１から４のいずれかに記載の発明の構成に加えて、前記取得手段は、前記第一送信手段において前記第一通知信号が送信された後、前記第一通信号を送信した相手の前記通信端末である相手端末の前記電波強度を取得し、前記判断手段において前記相手端末の前記電波強度が前記閾値以上であると判断された場合に、電波状態が改善したことを通知する信号である第二通知信号を前記相手端末に対して送信する第四送信手段をさらに備えている。
【００１２】
また、請求項７に係る発明の終端装置プログラムは、通信端末と無線を介して接続し、発呼側の前記通信端末である発呼端末と被呼側の前記通信端末である被呼端末との間で行われる通話の為の通信を制御する回線終端装置の各処理手段としてコンピュータを実行させる終端装置プログラムであって、コンピュータを、前記発呼端末及び前記被呼端末のうち少なくとも一方から送信された電波の強度である電波強度を取得する取得手段と、前記取得手段において取得された前記電波強度が所定の閾値以上であるかを判断する判断手段と、前記判断手段において前記電波強度が前記閾値未満であると判断された場合に、前記発呼端末及び前記被呼端末のうち少なくとも一方に、電波状態が悪いことを通知する信号である第一通知信号を送信する第一送信手段として機能させる。
【発明の効果】
【００１３】
請求項１に係る発明の回線終端装置では、発呼端末及び被呼端末のうち少なくとも一方の電波強度が所定の閾値未満となった場合には、発呼端末及び被呼端末のうち少なくとも一方に対して、電波状態が悪いことを通知する信号（第一通知信号）が送信される。通信端末では、回線終端装置との電波状態が悪くなっていることを認識できる。通信端末のユーザは、通信端末の電波状態を改善させるための対策を施すことができる。
【００１４】
また、請求項２に係る発明の回線終端装置では、請求項１に記載の発明の効果に加えて、発呼端末と被呼端末との間で通話が行われている状態で、発呼端末及び被呼端末のうち少なくとも一方の電波強度が所定の閾値未満となった場合に、第一通知信号が送信される。通信端末では、電波状態が悪く通話が途切れてしまう可能性があることを認識できる。通信端末のユーザは、通話が途切れてしまう前に、通信端末の電波状態を改善させる対策（通信端末の位置を移動させるなど）を施すことができる。
【００１５】
また、請求項３に係る発明の回線終端装置では、請求項１に記載の発明の効果に加えて、発呼端末と被呼端末との間で通話が開始される場合において、発呼端末の電波強度が所定の閾値未満となった場合に、発呼端末に対して第一通知信号が送信される。発呼端末では、電波状態が悪く通話を開始させることができないことを認識できる。通信端末のユーザが対策（通信端末の位置を移動させるなど）を施すことによって、通信端末間での通話が開始可能となる。
【００１６】
また、請求項４に係る発明の回線終端装置では、請求項１から３のいずれかに記載の発明の効果に加えて、有線網を介して他の回線終端装置が接続するシステム形態であっても、通信端末に対して、回線終端装置との電波状態が悪くなっていることを通知できる。通信端末のユーザに対して、通信端末の電波状態の改善を促すことができる。
【００１７】
また、請求項５に係る発明の回線終端装置では、請求項１から３のいずれかに記載の発明の効果に加えて、有線網を介して他の回線終端装置が接続するシステム形態において、通話相手先の通信端末の電波状態が悪くなっていることを通信端末に認識させることができる。通信端末のユーザは、通話相手先の通信端末との通話が途切れてしまう可能性があることを認識できる。
【００１８】
また、請求項６に係る発明の回線終端装置では、請求項１から４のいずれかに記載の発明の効果に加えて、一旦電波状態が悪くなった後、電波状態が改善した場合に、電波状態が改善したことを通知する信号（第二通知信号）が通信端末に送信される。通信端末では、回線終端装置との電波状態が改善したことを認識できる。
【００１９】
また、請求項７に係る発明の終端装置プログラムでは、コンピュータを、発呼端末及び被呼端末のうち少なくとも一方から送信された電波の強度である電波強度を取得する取得手段と、取得手段において取得された電波強度が所定の閾値以上であるかを判断する判断手段と、判断手段において電波強度が閾値未満であると判断された場合に、発呼端末及び被呼端末のうち少なくとも一方に、電波状態が悪いことを通知する信号である第一通知信号を送信する第一送信手段として機能させることができる。
【図面の簡単な説明】
【００２０】
【図１】通信システム１を示す模式図である。
【図２】回線終端装置５の電気的構成を示すブロック図である。
【図３】通信端末８の電気的構成を示すブロック図である。
【図４】終端装置処理を示すフローチャートである。
【図５】終端装置処理を示すフローチャートである。
【図６】強度判定処理を示すフローチャートである。
【図７】通信端末処理を示すフローチャートである。
【図８】判定結果受信処理を示すフローチャートである。
【図９】通信端末６，７間で行われる通信を示すシーケンス図である。
【図１０】第一の変形例における終端装置処理を示すフローチャートである。
【図１１】第一の変形例において、通信端末６と加入電話９との間で行われる通信を示すシーケンス図である。
【図１２】第二の変形例における通信システム１１を示す模式図である。
【図１３】第二の変形例における終端装置処理を示すフローチャートである。
【図１４】第二の変形例において、通信端末６，７間で行われる通信を示すシーケンス図である。
【発明を実施するための形態】
【００２１】
以下、本発明に係る回線終端装置５を含む通信システム１について、図面を参照して説明する。これらの図面は、本発明が採用しうる技術的特徴を説明するために用いられるものである。記載されている端末の構成、各種処理のフローチャートなどは、それのみに限定する趣旨ではなく、単なる説明例である。
【００２２】
図１を参照し、通信システム１の概要について説明する。通信システム１は、回線終端装置５と通信端末８とを備えている。回線終端装置５は、通信端末８間で行われる通話を制御するための装置である。通信端末８は、通話を行うための機器である。回線終端装置５は、通信回線２に接続している。回線終端装置５は、ＷｉＦｉ技術に基づいた無線通信によって、通信端末８と通信可能である。図１では、回線終端装置５は通信端末６及び通信端末７と接続可能となっている。通信端末６を使用するユーザは、回線終端装置５を介して、通信端末７を使用するユーザと通話を行うことが可能である。
【００２３】
回線終端装置５としては、例えばアクセスポイントを使用することができる。通信端末８としては特段限定されず、従来周知の無線端末を使用することができる。通信回線２としては、例えばＰＳＴＮ網やインターネット網（ＬＡＮ、ＷＡＮ）等を使用することができる。なお本実施の形態では、回線終端装置５と通信端末８との間でＷｉＦｉ技術に基づいた無線通信が行われることとしたが、本発明はこの方法には限定されず、従来周知の様々な規格の無線通信（無線ＬＡＮ、Ｂｌｕｅｔｏｏｔｈ、Ｚｉｇｂｅｅなど）を使用することができる。
【００２４】
また図１に示すように、加入電話９が通信回線２に接続している。通信端末８は、回線終端装置５及び通信回線２を介して、加入電話９とも通信を行うことができる。加入電話９としては、例えば固定電話や携帯電話を使用することができる。
【００２５】
図２を参照し、回線終端装置５の電気的構成について説明する。回線終端装置５は、ＣＰＵ５１、ＲＯＭ５２、ＲＡＭ５３、フラッシュメモリ５４を備えている。ＣＰＵ５１は、通信端末８や他の回線終端装置５との通信を制御する。ＲＯＭ５２には、ＣＰＵ５１のプログラムが少なくとも記憶される。ＲＡＭ５３には、ＣＰＵ５１の処理時に発生する一時的なデータが少なくとも記憶される。フラッシュメモリ５４には、通信に必要な情報が格納されたテーブル等が記憶される。ＣＰＵ５１は、ＲＯＭ５２、ＲＡＭ５３、及びフラッシュメモリ５４と電気的に接続している。ＣＰＵ５１は、ＲＯＭ５２、ＲＡＭ５３、及びフラッシュメモリ５４の記憶領域にアクセスできる。
【００２６】
回線終端装置５は、入力部５５を備えている。入力部５５は、ユーザによる回線終端装置５への入力操作（各種設定操作など）を受け付ける。ＣＰＵ５１は、入力部５５と電気的に接続している。ＣＰＵ５１は、入力部５５を介して入力された情報を認識できる。入力部５５としては、例えばスイッチやタッチセンサが使用できる。回線終端装置５は、表示部５６を備えている。表示部５６は、回線終端装置５の状態等を表示することができる。ＣＰＵ５１は、表示部５６と電気的に接続している。ＣＰＵ５１は、表示部５６に所望の情報を表示させることができる。表示部５６としては、例えばＬＥＤが使用できる。
【００２７】
回線終端装置５は、ＬＡＮコントローラ５７を備えている。ＬＡＮコントローラ５７は、インターネット網を介した通信を可能とする。ＣＰＵ５１は、ＬＡＮコントローラ５７と電気的に接続している。ＣＰＵ５１は、通信回線２がインターネット網である場合に、通信回線２を介して通信を行うことができる。
【００２８】
回線終端装置５は、ＰＳＴＮ回線用インタフェース（Foreign Exchange Office／Foreign Exchange Station、ＦＸＯ／ＦＸＳ）５８を備えている。ＦＸＯ／ＦＸＳ５８は、ＰＳＴＮ網を介した通信を可能とする。ＣＰＵ５１は、ＦＸＯ／ＦＸＳ５８と電気的に接続している。ＣＰＵ５１は、通信回線２がＰＳＴＮ網である場合に、通信回線２を介して通信を行うことができる。
【００２９】
回線終端装置５は、無線モジュール５９を備えている。無線モジュール５９は、無線を介した通信を可能とする。ＣＰＵ５１は、無線モジュール５９と電気的に接続している。ＣＰＵ５１は、無線を介して通信端末８と通信を行うことができる。
【００３０】
図３を参照し、通信端末８の電気的構成について説明する。通信端末８は、ＣＰＵ８１、ＲＯＭ８２、ＲＡＭ８３、フラッシュメモリ８４を備えている。ＣＰＵ８１は、回線終端装置５との通信を制御する。ＲＯＭ８２には、ＣＰＵ８１のプログラムが少なくとも記憶される。ＲＡＭ８３には、ＣＰＵ８１の処理時に発生する一時的なデータが少なくとも記憶される。フラッシュメモリ８４には、音声データや画像データ等が記憶される。ＣＰＵ８１は、ＲＯＭ８２、ＲＡＭ８３、及びフラッシュメモリ８４と電気的に接続している。ＣＰＵ８１は、ＲＯＭ８２、ＲＡＭ８３、及びフラッシュメモリ８４の記憶領域にアクセスできる。
【００３１】
通信端末８は、入力部８５を備えている。入力部８５は、ユーザによる通信端末８への入力操作（番号入力など）を受け付ける。ＣＰＵ８１は、入力部８５と電気的に接続している。ＣＰＵ８１は、入力部８５を介して入力された情報を認識できる。入力部８５としては、例えばスイッチやタッチセンサが使用できる。通信端末８は、表示部８６を備えている。表示部８６は、待ち受け時や通話時において各種情報を表示することができる。ＣＰＵ８１は、表示部８６と電気的に接続している。ＣＰＵ８１は、表示部８６に所望の情報を表示させることができる。表示部８６としては、例えばＬＣＤが使用できる。
【００３２】
通信端末８は、マイク８７を備えている。マイク８７は、ＣＰＵ８１と電気的に接続している。ＣＰＵ８１は、マイク８７に入力された音声を認識できる。通信端末８は、スピーカ８８を備えている。スピーカは、ＣＰＵ８１と電気的に接続している。ＣＰＵ８１は、スピーカ８８を介して所望の音声を出力できる。
【００３３】
通信端末８は、無線モジュール８９を備えている。無線モジュール８９は、無線を介した通信を可能とする。ＣＰＵ８１は、無線モジュール８９と電気的に接続している。ＣＰＵ８１は、無線を介して回線終端装置５と通信を行うことができる。
【００３４】
回線終端装置５のＣＰＵ５１において実行される終端装置処理について、図４〜図６を参照して説明する。終端装置処理は、回線終端装置５の電源が投入された状態で、ＣＰＵ５１によって起動され実行される。なお以下では、通信端末６が通信端末７を呼び出して通話が開始され、通信端末６，７間で通話が実行される場合を想定している。以下、通信端末６を発呼端末ともいい、通信端末７を被呼端末ともいう。
【００３５】
終端装置処理が起動されると、はじめに、通信端末６から送信される電波信号を検出したかが監視される（Ｓ１１）。電波信号は、発呼端末である通信端末６の電波強度を回線終端装置５において検出可能とするために、通信端末６から送信される（Ｓ８５、図７参照）。電波信号を検出していない場合（Ｓ１１：ＮＯ）、Ｓ１１の処理に戻る。そして継続して電波信号の受信を監視するために、上述の処理が繰り返される。電波信号を検出した場合（Ｓ１１：ＹＥＳ）、電波信号の電波強度を判定する処理（強度判定処理、Ｓ１３）が実行される。
【００３６】
図６を参照し、強度判定処理について説明する。強度判定処理では、はじめに、検出された強度信号の電波強度が取得される（Ｓ５１）。電波強度の取得には、例えばＣＰＵ５１に実装されたＲＳＳＩ機能が使用される。取得された電波強度が所定の閾値（以下「第一閾値」という。）と比較される（Ｓ５３）。第一閾値は、通話時に通信端末６から送信される通話信号を、回線終端装置５が正常に受信できる値とされる。なお第一閾値は、データ通信時に通信端末６から送信されるデータ信号を、回線終端装置５が正常に受信できる値の下限よりも大きい値とされる。通話を司る通話信号は、通常、データ通信を司るデータ信号よりも大きな電波強度で通信を行うことが必要となる。通話時の通話品質を確保するためには、通話信号の通信に高い成功率が要求されるためである。一方、データ信号の通信時には、誤り訂正や再送制御等によって通信の失敗を補うことができるので、小さい電波強度であっても通信が可能となる。
【００３７】
取得された電波強度が第一閾値以上となっていた場合（Ｓ５３：ＹＥＳ）、通信端末６から送信される通話信号は、回線終端装置５において正常に受信できる状態である。接続が許可されたことを示す許可通知信号が、通信端末６に対して送信される（Ｓ５５）。通信端末６の接続を許可する旨を示す情報がＲＡＭ５３に一時的に記憶される（Ｓ５７）。そして強度判定処理を終了し、終端装置処理（Ｓ１３、図４参照）に戻る。
【００３８】
一方、取得された電波強度が第一閾値未満であった場合（Ｓ５３：ＮＯ）、通信端末６に対して、通話不可能な状態である旨を通知するアラーム信号が送信される（Ｓ５９）。次いで、通信端末６から送信されている電波信号の電波強度が取得される（Ｓ６１）。ここで、通信端末６との間の電波状態が改善し、取得した電波強度が大きくなって第一閾値以上となった場合（Ｓ６３：ＹＥＳ）、通信端末６に対して許可通知信号が送信される（Ｓ６５）。通信端末６の接続を許可する旨を示す情報がＲＡＭ５３に一時的に記憶される（Ｓ５７）。そして強度判定処理を終了し、終端装置処理（Ｓ１３、図４参照）に戻る。
【００３９】
通信端末６との間の電波状態が改善せず、電波強度が継続して第一閾値未満である場合（Ｓ６３：ＮＯ）、Ｓ５９の処理でアラーム信号を送信してからの経過時間が監視される（Ｓ６７）。経過時間が所定時間未満である場合（Ｓ６７：ＮＯ）、Ｓ６１の処理に戻る。継続して電波強度が取得される。一方、経過時間が所定時間以上となった場合（Ｓ６７：ＹＥＳ）、通信端末６の接続を禁止する旨を示す情報がＲＡＭ５３に一時的に記憶される（Ｓ６９）。そして強度判定処理を終了し、終端装置処理（Ｓ１３、図４参照）に戻る。
【００４０】
図４に示すように、強度判定処理（Ｓ１３）が終了すると、強度判定処理においてＲＡＭ５３に記憶された情報が参照され、通信端末６の接続を許可されたかが判断される（Ｓ１５）。通信端末６の接続が禁止されている場合（Ｓ１５：ＮＯ）、特段処理を行うことなく終端装置処理を終了する。通信端末６の接続が許可されている場合（Ｓ１５：ＹＥＳ）、Ｓ１７の処理に進む。
【００４１】
Ｓ１７の処理では、通信端末６から送信される接続要求信号（Ｓ９１、図７参照）が受信される（Ｓ１７）。接続要求信号は、通信端末６が通信端末７と通話を開始させるために、通信端末６から通信端末７に対して送信される信号である。次いで、通信端末７に対して電波信号の送信を促すための呼び出し信号が、通信端末７に対して送信される（Ｓ１８）。呼び出し信号を受けたことによって、通信端末７から電波信号の送信が開始される。回線終端装置５において、受信された電波信号の強度が判定される（Ｓ１９）。
【００４２】
強度判定処理では、図６に示すように、電波強度が取得され（Ｓ５１）、第一閾値と比較される（Ｓ５３）。電波強度が第一閾値以上であった場合（Ｓ５３：ＹＥＳ）、通信端末６，７に対して許可通知信号が送信され（Ｓ５５）、通信端末７の接続が許可される（Ｓ５７）。電波強度が第一閾値未満であった場合（Ｓ５３：ＮＯ）、アラーム信号が通信端末６，７に対して送信され（Ｓ５９）、所定時間が経過するまで（Ｓ６７）継続して電波信号の電波強度が取得される（Ｓ６１）。取得した電波強度が第一閾値以上となった場合（Ｓ６３：ＹＥＳ）、許可通知信号が通信端末６，７に対して送信され（Ｓ６５）、通信端末７の接続が許可される（Ｓ５７）。一方、所定時間が経過しても電波強度が第一閾値以上とならない場合（Ｓ６７：ＹＥＳ）、通信端末７の接続は禁止される（Ｓ６９）。
【００４３】
図４に示すように、強度判定処理（Ｓ１９）が終了すると、強度判定処理においてＲＡＭ５３に記憶された情報が参照され、通信端末７の接続が許可されたかが判断される（Ｓ２１）。通信端末７の接続が禁止されている場合（Ｓ２１：ＮＯ）、特段処理を行うことなく終端装置処理を終了する。通信端末７の接続が許可されている場合（Ｓ２１：ＹＥＳ）、Ｓ１７の処理で通信端末６から受信している接続要求信号が、通信端末７に対して転送される（Ｓ２３）。次いで、接続要求信号を受信した通信端末７から返信される応答信号が受信される（Ｓ２５）。受信した応答信号は、通信端末６に対して転送される（Ｓ２７）。そしてＳ３１の処理（図５参照）に進む。
【００４４】
図５に示すように、応答信号が通信端末６に対して転送された後、通信端末６，７間で通話が実行され、通信端末６，７は通話状態となる。回線終端装置５では、通信端末６，７から受信される通話信号を、相手先の通信端末に対して転送する（Ｓ３１）。また通話状態において、通信端末６，７から送信される通話信号の電波強度を判定するために、強度判定処理が実行される（Ｓ３３）。
【００４５】
強度判定処理では、以下の処理が通信端末６，７の其々に対して実行される。図６に示すように、電波強度が取得され（Ｓ５１）、第一閾値と比較される（Ｓ５３）。電波強度が第一閾値以上であった場合（Ｓ５３：ＹＥＳ）、通信端末８に対して許可通知信号が送信され（Ｓ５５）、通信端末８の接続が許可される（Ｓ５７）。電波強度が第一閾値未満であった場合（Ｓ５３：ＮＯ）、アラーム信号が通信端末６，７の両方に対して送信され（Ｓ５９）、所定時間が経過するまで（Ｓ６７）継続して電波信号の電波強度が取得される（Ｓ６１）。取得した電波強度が第一閾値以上となった場合（Ｓ６３：ＹＥＳ）、許可通知信号が通信端末６，７の両方に対して送信され（Ｓ６５）、電波強度を送信していた通信端末８の接続は許可される（Ｓ５７）。一方、所定時間が経過しても電波強度が第一閾値以上とならない場合（Ｓ６７：ＹＥＳ）、判定対象の通信端末８の接続は禁止される（Ｓ６９）。
【００４６】
図５に示すように、強度判定処理（Ｓ３３）が終了すると、通信端末６，７の両方の接続が許可された状態であるかが判断される（Ｓ３５）。通信端末６，７のうち少なくとも一方の接続が禁止されている場合（Ｓ３５：ＮＯ）、通信端末６，７は通話状態を維持できない。通話を終了させるために、通信端末６，７に対して切断要求信号が送信される（Ｓ４５）。その後、終端装置処理を終了する。
【００４７】
一方、通信端末６，７の両方の接続が許可されている場合（Ｓ３５：ＹＥＳ）、切断要求信号を受信したかが判断される（Ｓ３７）。切断要求信号は、通話を終了させるための操作が通信端末６，７に対してなされれた場合において、通信端末６，７から送信される（Ｓ１０３、図７参照）。切断要求信号を受信していない場合（Ｓ３７：ＮＯ）通信端末６，７間で通話を継続させるためにＳ３１の処理に戻り、上述の処理が繰り返される。切断要求信号を受信した場合（Ｓ３７：ＹＥＳ）、受信した切断要求信号が相手方の通信端末（切断要求信号を送信していない側の通信端末）に対して転送される（Ｓ３９）。続いて、切断要求信号を受信した通信端末から返信される応答信号が受信される（Ｓ４１）。受信した応答信号は、切断要求信号を送信した通信端末に対して転送される（Ｓ４３）。そして終端装置処理を終了する。
【００４８】
図７を参照し、通信端末８のＣＰＵ８１において実行される通信端末処理について説明する。通信端末処理は、通信端末８の電源が投入された状態で、ＣＰＵ８１によって起動され実行される。図７に示すように、入力部８５を介して通話開始操作が行われたかが判断される（Ｓ８１）。通話開始操作とは、例えば通話相手方の電話番号を入力する操作や、アドレス帳から通話相手方の電話番号を選択する操作である。通話開始操作が行われた場合（Ｓ８１：ＹＥＳ）、Ｓ８５の処理に進む。
【００４９】
通話開始操作が行われていない場合（Ｓ８１：ＮＯ）、回線終端装置５から呼び出し信号を受信したかが判断される（Ｓ８３）。受信している場合（Ｓ８３：ＹＥＳ）、Ｓ８５の処理に進む。受信していない場合（Ｓ８３：ＮＯ）、Ｓ８１の処理に戻り、上述の処理が繰り返される。
【００５０】
Ｓ８５の処理では、回線終端装置５に対する電波信号の送信が開始される（Ｓ８５）。次いで、回線終端装置５における電波強度判定の結果を受信する判定結果受信処理（Ｓ８７）が実行される。図８を参照し、判定結果受信処理について説明する。判定結果受信処理では、はじめに、回線終端装置５から送信される許可通知信号の受信が監視される（Ｓ１１１）。受信した場合（Ｓ１１１：ＹＥＳ）、通話が許可されたことを通知する画像が、表示部８６に表示される（Ｓ１１５）。そして判定結果受信処理を終了して通信端末処理に戻る。
【００５１】
一方、許可通知信号を受信していない場合（Ｓ１１１：ＮＯ）、回線終端装置５から送信されるアラーム信号の受信が監視される（Ｓ１１３）。アラーム信号を受信した場合（Ｓ１１３：ＹＥＳ）、回線終端装置５との間の電波状態が悪く、通話を開始することができないことを通知する画像が、表示部８６に表示される（Ｓ１１７）。そしてＳ１１１の処理に戻り、上述の処理が繰り返し実行される。アラーム信号を受信していない場合（Ｓ１１３：ＮＯ）、Ｓ１１１の処理に戻り、上述の処理が繰り返される。
【００５２】
ここでユーザが表示部８６を視認し、通信端末８と回線終端装置５との間の電波状態が悪く通話を開始できないことを認識したとする。ユーザは、通信端末８の場所を移動させたりすることによって、電波状態の改善を試みる。電波状態が改善すると、回線終端装置５において通信端末８の接続が許可され、通信端末８に対して許可通知信号が送信される（Ｓ６５、図６参照）。通信端末８では、許可通知信号が受信されるので（Ｓ１１１：ＹＥＳ）、通話が許可されたことを通知する画像を、表示部８６に表示させる（Ｓ１１５）。ユーザは、電波状態が改善して通話可能な状態となったことを認識できる。
【００５３】
図７に示すように、判定結果受信処理（Ｓ８７）の後、自身が発呼端末である場合（通話開始操作が行われている場合）（Ｓ８９：ＹＥＳ）、被呼端末との通話を開始させるために接続要求信号が送信される（Ｓ９１）。次いで、接続要求信号を受信した被呼端末から返信される応答信号が受信される（Ｓ９３）。そしてＳ９５の処理に進む。一方、自身が被呼端末である場合（Ｓ８９：ＮＯ）、発呼端末から送信される接続要求信号の受信が監視される（Ｓ９９）。受信していない場合（Ｓ９９：ＮＯ）、Ｓ９９の処理に戻る。接続要求信号を受信した場合（Ｓ９９：ＹＥＳ）、発呼端末に対して応答信号が送信される（Ｓ１００）。そしてＳ９５の処理に進む。
【００５４】
Ｓ９５の処理では、通話相手方の通信端末と通話を行うことが可能な状態となっているので、通話が開始される（Ｓ９５）。通話状態では、端末装置８から回線終端装置５に対して通話信号が送信される。回線終端装置５では、受信された通話信号が相手方の通信端末８に対して転送される。
【００５５】
通話状態で、判定結果受信処理が実行される（Ｓ９７）。図８に示すように、通信端末８と回線終端装置５との間の電波状態が悪化した場合にはアラーム信号が受信される（Ｓ１１３：ＹＥＳ）。電波状態が悪化して通話状態を維持できないことを通知する画像が、表示部８６に表示される（Ｓ１１７）。これに対し、電波状態が改善した場合には許可通知信号が受信される（Ｓ１１１：ＹＥＳ）。電波状態が改善して通話状態を維持できることを通知する画像が、表示部８６に対して表示される（Ｓ１１５）。
【００５６】
図７に示すように、判定結果受信処理（Ｓ９７）後、通話を終了させるための操作が入力部８５を介してなされたかが判断される（Ｓ１０１）。操作がなされた場合（Ｓ１０１：ＹＥＳ）、通話状態を終了させるための切断要求信号が、回線終端装置５を介して通話相手方の通信端末に対して送信される（Ｓ１０３）。次いで、切断要求信号を受信した通話相手方の通信端末から返信される応答信号が、回線終端装置５を介して受信される（Ｓ１０５）。そして通信端末処理を終了する。
【００５７】
一方、通話終了の為の入力操作がなされていない場合（Ｓ１０１：ＮＯ）、通話相手方の通信端末から送信された切断要求信号を、回線終端装置５を介して受信したかが判断される（Ｓ１０７）。受信した場合（Ｓ１０７：ＹＥＳ）、切断要求信号を送信した通信端末に対する応答信号が、回線終端装置５を介して返信される（Ｓ１０９）。そして通信端末処理を終了する。切断要求信号を受信していない場合（Ｓ１０７：ＮＯ）、Ｓ１０１の処理に戻り、上述の処理が繰り返される。
【００５８】
図９を参照し、通信端末６，７間で通話が実行される場合の通信シーケンスについて、図４〜８のフローチャートを参照しつつ説明する。通信端末６に対して通話を開始させるための操作が行われる（１１１、Ｓ８１（図７参照））。通信端末６において、電波信号の送信が開始される（１１３、Ｓ８５（図７参照））。回線終端装置５において、電波信号の電波強度が取得される（１１５、Ｓ５１（図６参照））。ここで、取得された電波強度が第一閾値未満であったとする（Ｓ５３：ＮＯ（図６参照））。アラーム信号が、回線終端装置５から通信端末６に対して送信される（１１７、Ｓ５９（図６参照））。ユーザが通信端末６を移動させた結果、電波状態が改善して電波強度が第一閾値以上になったとする（Ｓ６３：ＹＥＳ（図６参照））。回線終端装置５から通信端末６に対して、許可通知信号が送信される（１１９、Ｓ６５（図６参照））。
【００５９】
通信端末６から接続要求信号が送信され（１２１、Ｓ９１（図７参照））、回線終端装置５において受信される（Ｓ１７（図４参照））。回線終端装置５から通信端末７に対して呼び出し信号が送信される（１２２、Ｓ１８（図４参照））。呼び出し信号を受信した（Ｓ８３（図７参照））通信端末７では、電波信号の送信が開始される（１２３、Ｓ８５（図７参照））。回線終端装置５において、電波信号の電波強度が取得される（１２５、Ｓ５１（図６参照）））。取得された電波強度が第一閾値以上である場合（Ｓ５３：ＹＥＳ（図６参照））、許可通知信号が通信端末６，７に対して送信される（１２７、１２９、Ｓ５５（図６参照））。続いて、回線終端装置５によって接続要求信号が通信端末７に対して転送される（１３１、Ｓ２３（図４参照））。通信端末７は、接続要求信号を受信し（Ｓ９９（図７参照））、応答信号を返信する（１３３、Ｓ１００（図７参照））。応答信号は回線終端装置５において転送され（１３５、Ｓ２７（図４参照））、通信端末６において受信される（Ｓ９３（図７参照））。
【００６０】
通信端末６，７間で通話が開始される（１３７、Ｓ３１（図５参照）、Ｓ９５（図７参照））。通話状態において、通話信号の電波強度が回線終端装置５において取得され（Ｓ５１（図６参照））、第一閾値と比較される（Ｓ５３（図６参照））。通信端末６，７のうち少なくとも一方から受信した通話パケットの電波強度が第一閾値未満となった場合、アラーム信号が通信端末６，７に対して送信される（１３９、１４１、Ｓ５９（図６参照））。電波状態が改善し、電波強度が第一閾値以上になった場合、回線終端装置５から通信端末６，７に対して、許可通知信号が送信される（１４３、１４５、Ｓ６５（図６参照））。
【００６１】
通信端末６の入力部８５を介して、通話を終了させる入力操作がなされたとする（１４７、Ｓ１０１（図７参照））。通信端末６から切断要求信号が送信される（１４９、Ｓ１０３（図７参照））。回線終端装置５において切断要求信号が受信され（Ｓ３７（図５参照））、通信端末７に対して転送される（１５１、Ｓ３９（図５参照））。切断要求信号を受信した通信端末７から、応答信号が返信される（１５３（Ｓ１０９（図７参照）））。応答信号は回線終端装置５において転送され（１５５、Ｓ４３（図５参照））、通信端末６において受信される（Ｓ１０５（図７参照））。
【００６２】
以上説明したように、回線終端装置５は、通話が開始される前の通信端末６，７の電波強度を監視し、第一閾値未満であった場合には、アラーム信号が送信される。通信端末６，７では、アラーム信号の受信がユーザに通知されるので、ユーザは、通信端末６，７の電波状態を改善させるための対策を施すことができる。電波状態が改善し、電波強度が第一閾値以上となった場合には、通信端末６，７に対して許可通知信号が送信される。通信端末６，７では、許可通知信号の受信がユーザに通知されるので、ユーザは、回線終端装置５との電波状態が改善したことを認識できる。
【００６３】
また回線終端装置５では、通話状態にある通信端末６，７の電波強度が監視され、電波強度が弱い場合に、通信端末６，７に対してアラーム信号が送信される。通話状態であっても、通信端末６，７のユーザは、回線終端装置５との電波状態を認識できる。電波状態が悪化した場合、ユーザは通話が切断される前に対策（通信端末８の位置を移動させるなど）を施すことができるので、通話が途切れてしまうことを防止できる。
【００６４】
なお、図６のＳ５１の処理を行うＣＰＵ５１が本発明の「取得手段」に相当し、Ｓ５３、Ｓ６３の処理を行うＣＰＵ５１が本発明の「判断手段」に相当する。図６のＳ５９の処理を行うＣＰＵ５１が本発明の「第一送信手段」に相当する。図６のＳ６５の処理を行うＣＰＵ５１が本発明の「第二送信手段」に相当する。図５のＳ３１の処理を行うＣＰＵ５１が本発明の「通話制御手段」に相当する。第二の変形例において、図６のＳ５９の処理を行うＣＰＵ５１が本発明の「第二送信手段」に相当する。
【００６５】
なお、本発明は上記実施の形態に限定されるものではなく、種々の変更が可能である。上述の実施の形態では、通話中に通信端末６，７のうち一方の電波状態が悪化した場合、通信端末６，７の両方に対してアラーム信号が送信されていた。また、電波状態が改善した場合、通信端末６，７の両方に対して許可通知信号が送信されていた。しかしながら本発明はこの構成に限定されない。電波状態が悪化した側の通信端末のみにアラーム信号を送信してもよい。電波状態が改善した場合、改善した側の通信端末のみに許可通知信号を送信してもよい。同様に、被呼端末を呼び出す際の電波状態の判定中に電波状態が悪化した場合も、被呼端末のみにアラーム信号を送信してもよい。また被呼端末のみに許可通知信号を送信してもよい。
【００６６】
上述の実施の形態では、通信端末６と通信端末７とが回線終端装置５を介して通話を行う場合を想定した。しかしながら本発明はこの構成に限定されない。以下、本実施の形態の第一の変形例及び第二の変形例について説明する。
＜第一の変形例＞
【００６７】
図１０及び図１１を参照し、第一の変形例について説明する。第一の変形例では、通信端末６と加入電話９との間で通話が実行される。図１０を参照し、第一の変形例における終端装置処理について説明する。終端装置処理の後段は、上述の実施の形態（図５）と同一である。終端装置処理は、回線終端装置５の電源が投入された状態で、ＣＰＵ５１によって起動され実行される。
【００６８】
終端装置処理が起動されると、はじめに、通信端末６から送信される電波信号を検出したかが監視される（Ｓ２１１）。検出した場合（Ｓ２１１：ＹＥＳ）、強度判定処理（Ｓ２２１）が実行される。強度判定処理において、通信端末６の接続が許可されたかが判断される（Ｓ２２３）。許可されていない場合（Ｓ２２３：ＮＯ）、そのまま終端装置処理を終了する。通信端末６の接続が許可されている場合（Ｓ２２３：ＹＥＳ）、次いで通信端末６から送信される接続要求信号が受信される（Ｓ２２５）。そしてＳ２２７の処理に進む。
【００６９】
一方、電波強度を検出していない場合（Ｓ２１１：ＮＯ）、加入電話９から送信された接続要求信号を、通信回線２を介して受信したかが判断される（Ｓ２１３）。受信していない場合（Ｓ２１３：ＮＯ）、Ｓ２１１に戻る。受信している場合（Ｓ２１３：ＹＥＳ）、通信端末６に対して呼び出し信号が送信される（Ｓ２１５）。呼び出し信号を受信した通信端末６から送信される電波信号の電波強度を判定するために強度判定処理が実行される（Ｓ２１７）。強度判定処理において、通信端末６の接続が許可されたかが判断される（Ｓ２１９）。接続が禁止されている場合（Ｓ２１９：ＮＯ）、そのまま終端装置処理を終了する。接続が許可されている場合（Ｓ２１９：ＹＥＳ）、Ｓ２２７の処理に進む。
【００７０】
Ｓ２２７の処理では、被呼側の端末（通信端末６又は加入電話９）に対して接続要求信号が転送される（Ｓ２２７）。次いで、接続要求信号を受信した被呼側の端末から返信される応答信号が受信される（Ｓ２２９）。受信した応答信号は、発呼側の端末（通信端末６又は加入電話９）に対して転送される（Ｓ２３１）。そしてＳ３１の処理（図５参照）に進む。図５のＳ３１の処理では、通信端末６と加入電話９との間で通話が開始される（Ｓ３１）。
【００７１】
通話状態において、通信端末６から送信される通話信号の電波強度を判定するために、強度判定処理が実行される（Ｓ３３）。通信端末６の接続が許可された状態であるかが判断され（Ｓ３５）、接続が禁止されている場合（Ｓ３５：ＮＯ）、通話が終了される。接続が許可されている場合（Ｓ３５：ＹＥＳ）、継続して通話が実行される。
【００７２】
図１１を参照し、通信端末６と加入電話９との間で通話が実行される場合の通信シーケンスについて、図１０のフローチャートを参照しつつ説明する。加入電話９に対して、通話を開始させるための操作が行われる（２１１）。加入電話９から回線終端装置５に対して接続要求信号が送信され（２１３）、回線終端装置５において受信される（Ｓ２１３：ＹＥＳ（図１０参照））。回線終端装置５から通信端末６に対して呼び出し信号が送信される（２１５、Ｓ２１５（図１０参照））。
【００７３】
通信端末６において電波信号の送信が開始され（２１７）、回線終端装置５において、受信された電波信号に基づいて電波強度が判定される（２１８、Ｓ２１７（図１０参照））。電波強度が第一閾値未満である場合、回線終端装置５から通信端末６に対してアラーム信号が送信される（２１９）。電波状態が改善し、電波強度が第一閾値以上となった場合、回線終端装置５から通信端末６に対して許可通知信号が送信される（２２１）。
【００７４】
回線終端装置５では、加入電話９から受信した接続要求信号が通信端末６に対して転送される（２２３、Ｓ２２７（図１０参照））。通信端末６から送信される応答信号（２２５）が回線終端装置５において受信され（Ｓ２２９（図１０参照））、通信回線２を介して加入電話９に対して転送される（２２７、Ｓ２３１（図１０参照））。
【００７５】
以後、通信端末６と加入電話９との間で通話が実行される（２２９）。通話を終了させる入力操作が加入電話９に対して行われた場合（２３１）、切断要求信号が通信回線２及び回線終端装置５を介して通信端末６に対して送信され（２３３、２３５）、これに対して通信端末６から応答信号が送信される（２３７，２３９）。
【００７６】
以上説明したように、第一の変形例では、通信端末６と加入電話９との間で通話が実行可能となる。通信端末６が加入電話９との間で通話を開始させる場合にも、回線終端装置５は予め通信端末６の電波強度を取得し、通信端末６の接続の許否を判断する。電波強度が弱い場合には、通信端末６にアラーム信号が通知されるので、通信端末６のユーザは、電波状態を改善させて通話を開始させることができる。また通話状態であっても、通信端末６の電波強度に応じてアラーム信号が通信端末６に送信される。これによって、通信端末６のユーザは、通話状態が途中で中止されてしまう前に、通信端末６の電波状態を改善させることができる。
＜第二の変形例＞
【００７７】
図１２〜図１４を参照し、第二の変形例について説明する。図１２を参照し、第二の変形例における通信システム１１について説明する。通信システム１１は、回線終端装置３，４と、通信端末６，７とを備えている。回線終端装置３，４は通信回線２に接続している。回線終端装置３は、ＷｉＦｉ技術に基づいた無線通信によって通信端末６と通信可能である。回線終端装置４は、ＷｉＦｉ技術に基づいた無線通信によって通信端末７と通信可能である。通信端末６を使用するユーザは、回線終端装置３，４及び通信回線２を介して、通信端末７を使用するユーザと通話を行うことができる。
【００７８】
図１３を参照し、回線終端装置５のＣＰＵ５１において実行される終端装置処理について説明する。なお、回線終端処理の前段部分は、上述した第一の変形例における終端装置処理（図１０参照）と同様である。終端装置処理は、回線終端装置５の電源が投入された状態で、ＣＰＵ５１によって起動され実行される。
【００７９】
図１０に示すように、通信端末６，７から送信される電波信号を検出したかが判断される（Ｓ２１１）、検出した場合（Ｓ２１１：ＹＥＳ）、検出された電波信号に基づいて、通信端末６，７の接続の許否が判断される（Ｓ２２１）。接続が許可された場合（Ｓ２２３：ＹＥＳ）、続いて通信端末６，７から送信される接続要求信号が受信される（Ｓ２２５）。そしてＳ２２７の処理に進む。
【００８０】
電波信号を検出していない場合（Ｓ２２１：ＮＯ）、通信回線２を介して他の回線終端装置５から接続要求信号を受信したかが判断される（Ｓ２１３）。受信した場合（Ｓ２１３：ＹＥＳ）、通信端末６，７に対して呼び出し信号が送信される（Ｓ２１５）。そして、通信端末６，７から送信される電波信号の電波強度が取得され、通信端末６，７の接続の許否が判定される（Ｓ２１７）。接続が許可された場合（Ｓ２１９：ＹＥＳ）、Ｓ２２７の処理に進む。
【００８１】
Ｓ２２７の処理では、受信した接続要求信号が転送される。通信回線２を介して接続要求信号を受信している場合、通信端末６，７に対して接続要求信号が転送される。通信端末６，７から接続要求信号を受信している場合、通信回線２を介して他の回線終端装置５に対して接続要求信号が転送される。
【００８２】
送信した接続要求信号に対する応答信号が受信された場合（Ｓ２２９）、受信した応答信号が転送される（Ｓ２３１）。通信回線２を介して応答信号を受信している場合には、通信端末６，７に対して接続要求信号が転送される。通信端末６，７から応答信号を受信している場合には、通信回線２を介して他の回線終端装置５に対して応答信号が転送される。そしてＳ２５１（図１３）の処理に進む。
【００８３】
図１３に示すように、通信端末６，７間で通話が開始された（Ｓ２５１）後、通信端末６，７から送信される通話信号の電波強度が判定されれる（Ｓ２５３）。判定の結果、通信端末６，７の接続が禁止されている場合（Ｓ２５５：ＮＯ）、切断要求信号を送信して（Ｓ２７３）終端装置処理は終了する。一方、接続が許可されている場合（Ｓ２５５：ＹＥＳ）、通信回線２を介してアラーム信号を受信したかが判断される（Ｓ２５７）。アラーム信号を受信している場合（Ｓ２５７：ＹＥＳ）、受信したアラーム信号が通信端末６，７に対して転送される（Ｓ２５９）。そしてＳ２６１の処理に進む。アラーム信号を受信していない場合（Ｓ２５７：ＮＯ）、そのままＳ２６１の処理に進む。
【００８４】
Ｓ２６１の処理では、通信回線２を介して許可通知信号を受信したかが判断される（Ｓ２６１）。許可通知信号を受信している場合（Ｓ２６１：ＹＥＳ）、受信した許可通知信号が通信端末６，７に対して転送される（Ｓ２６３）。そしてＳ２６５の処理に進む。許可通知信号を受信していない場合（Ｓ２６１：ＮＯ）、そのままＳ２６５の処理に進む。
【００８５】
切断要求信号を受信したかが判断される（Ｓ２６５）。受信していない場合（Ｓ２６５：ＮＯ）、通話状態を継続させるためにＳ２５１の処理に戻り、上述の処理が繰り返される。切断要求信号が受信された場合（Ｓ２６５：ＹＥＳ）、受信した切断要求信号が転送される（Ｓ２６７）。通信端末６，７から切断要求信号を受信している場合には、通信回線２を介して回線終端装置５に対して切断要求信号が転送される。通信回線２を介して切断要求信号を受信している場合には、通信端末６，７に対して切断要求信号が転送される。
【００８６】
送信した切断要求信号に対する応答信号が受信された場合（Ｓ２７９）、受信した応答信号が転送される（Ｓ２８１）。通信端末６，７から応答信号を受信している場合には、通信回線２を介して回線終端装置５に対して応答信号が転送される。通信回線２から応答信号を受信している場合には、通信端末６，７に対して切断要求が転送される。そして終端装置処理は終了する。
【００８７】
図１４を参照し、通信システム１１において通信端末６，７間で通話が実行される場合の通信シーケンスについて、図１０及び図１３のフローチャートを参照しつつ説明する。通信端末６に対して通話を開始させるための操作が行われる（３１１）。通信端末６において、電波信号の送信が開始される（３１３）。回線終端装置３において、電波信号の電波強度が検出され（Ｓ２１１（図１０参照））、通信端末６の接続の許否が判断される（３１５、Ｓ２２１（図１０参照））。通信端末６の接続が許可された場合、回線終端装置３から通信端末６に対して許可通知信号が送信される（３１７）。
【００８８】
次いで、通信端末６から接続要求信号が送信され（３１９）、回線終端装置３において受信される（Ｓ２２５（図１０参照））。回線終端装置３では、通信回線２を介して回線終端装置４に対して接続要求信号が転送される（３２１、Ｓ２２７（図１０参照））。
【００８９】
回線終端装置４では、通信回線２を介して接続要求信号が受信される（Ｓ２１３（図１０参照））。回線終端装置４から通信端末７に対して呼び出し信号が送信される（３２３、Ｓ２１５（図１０参照））。呼び出し信号を受信した通信端末７では、電波信号の送信が開始される（３２５）。回線終端装置４において、電波信号の電波強度に基づいて通信端末７の接続の許否が判断される（３２７、Ｓ２１７（図１０参照））。接続が許可された場合、許可通知信号が通信端末７に対して送信される（３２９）。受信した接続要求信号が通信端末７に対して転送される（３３１、Ｓ２２７（図１０参照））。接続要求信号に対して返信された応答信号（３３３）が受信され（Ｓ２２９（図１０参照））、通信回線２に対して転送される（３３５、Ｓ２３１（図１０参照））。
【００９０】
回線終端装置３では、通信回線２を介して応答信号が受信され（Ｓ２２９（図１０参照））、通信端末６に対して転送される（３３７、Ｓ２３１（図１０参照））。これによって、通信端末６，７間で通話が開始される（３３９、Ｓ２５１（図１３参照））。
【００９１】
通話状態において、通信端末６，７から送信される通話信号の電波強度が監視される（Ｓ２５３）。回線終端装置３において取得される通信端末６の電波強度が弱くなったとする。回線終端装置３では、アラーム信号が通信端末６に対して送信される（３４１、Ｓ５９（図６参照））。また、通信回線２を介して回線終端装置４に対してアラーム信号が送信される（３４３、Ｓ５９（図６参照））。回線終端装置４では、アラーム信号が受信される（Ｓ２５７（図１０参照））。受信したアラーム信号は、通信端末７に対して転送される（３４５、Ｓ２５９（図１０参照））。
【００９２】
回線終端装置３と通信端末６との間の電波状態が改善されると、回線終端装置３から通信端末６に対して許可通知信号が送信される（３４７、Ｓ６５（図６参照））。また回線終端装置３では、通信回線２を介して回線終端装置４に対して許可通知信号が送信される（３４９、Ｓ６５（図６参照））。回線終端装置３では、許可通知信号が受信される（Ｓ２６１（図１０参照））。受信した許可通知信号は、通信端末７に対して転送される（３５１、Ｓ２６３（図１０参照））。
【００９３】
以上説明したように、第二の変形例では、回線終端装置３，４の其々に接続する通信端末６，７間で通話が実行可能となる。一方の通信端末８と回線終端装置５との間の電波状態が悪化した場合、アラーム信号は他方の通信端末８に対して送信される。また、電波状態が改善した場合、許可通知信号は他方の通信端末８に対して送信される。これによって通信端末８は、通信相手の通信端末の電波状態を確認することができる。
【００９４】
なお、図１３のＳ２５７の処理を行うＣＰＵ５１が本発明の「第一受信手段」に相当し、Ｓ２５９の処理を行うＣＰＵ５１が本発明の「第四送信手段」に相当する。
【符号の説明】
【００９５】
１，１１      通信システム
３，４，５    回線終端装置
６，７，８    通信端末
９      加入電話
５１    ＣＰＵ
８１    ＣＰＵ
【図１】
2011055403.tif 000003
【図２】
2011055403.tif 000004
【図３】
2011055403.tif 000005
【図４】
2011055403.tif 000006
【図５】
2011055403.tif 000007
【図６】
2011055403.tif 000008
【図７】
2011055403.tif 000009
【図８】
2011055403.tif 000010
【図９】
2011055403.tif 000011
【図１０】
2011055403.tif 000012
【図１１】
2011055403.tif 000013
【図１２】
2011055403.tif 000014
【図１３】
2011055403.tif 000015
【図１４】
2011055403.tif 000016